(57)【要約】【課題】役物装置に遊技球の動きと連動した複数の演出が得られ、遊技者に対する視覚的効果を十分に向上させて、パチンコ遊技の興趣を高めることが可能なパチンコ遊技機を提供する。【解決手段】役物装置が、始端側に受入口が設けられ終端側に排出口が設けられて受入口から進入した遊技球を排出口まで案内する案内通路部材と、該案内通路部材の排出口に開閉可能に配設された開閉扉と、該開閉扉がセンターステージ上から受入口を介して案内通路部材内に進入した遊技球を排出口方向に通過させるため開放状態とされた際に、案内通路部材内に発光する発光手段を備える。前記発光手段は、案内通路部材の後壁に一体化された基板に排出口方向に指向して実装された高輝度ＬＥＤであり、また、前記開閉扉の遊技球の重量による開放を検知可能なセンサの検知信号に基づいて閃光する。【選択図】  図４
2010166944.tif 000002
【特許請求の範囲】
【請求項１】
入球口から所定の経路に沿ってセンターステージ上に進入した遊技球を、受入口から受け入れて図柄表示装置の下方の始動口に向けて排出口から放出可能な役物装置を備えたパチンコ遊技機であって、
前記役物装置は、前記受入口が始端側に設けられ前記排出口が終端側に設けられて受入口から進入した遊技球を排出口まで案内する案内通路部材と、該案内通路部材の前記排出口に開閉可能に配設された開閉扉と、該開閉扉が前記センターステージ上から前記受入口を介して案内通路部材内に進入した遊技球を排出口方向に通過させるために開放された際に、前記案内通路部材内に発光する発光手段とを備えることを特徴とするパチンコ遊技機。
【請求項２】
前記発光手段は、前記案内通路部材の後壁に取付けられた基板に、前記排出口方向に指向して実装された高輝度ＬＥＤであることを特徴とする請求項１に記載のパチンコ遊技機。
【請求項３】
前記発光手段は、前記開閉扉の遊技球の重量による開放を検知可能なセンサの検知信号に基づいて閃光することを特徴とする請求項１または２に記載のパチンコ遊技機。
【発明の詳細な説明】
【技術分野】
【０００１】
本発明は、図柄表示装置の周囲に役物装置が配設されたパチンコ遊技機に関する。
【背景技術】
【０００２】
一般的に、パチンコ遊技機の遊技盤の略中央には、液晶表示器等からなる図柄表示装置が配設されている。この図柄表示装置は、その下方に配設された始動口に遊技球が入賞して始動条件が成立すると、例えば３つの図柄を変動表示させ、所定の図柄が揃って停止した際に、大当たり状態が発生して始動口下方の大入賞口が所定の形態で開閉するようになっている。
【０００３】
従来、このようなパチンコ遊技機においては、前記図柄表示装置の周囲に例えば特許文献１に開示の役物装置が配設されている。この役物装置は、遊技球が進入可能な入球口と、該入球口から進入した遊技球を所定軌跡に沿ってセンターステージ上に案内する案内経路と、センターステージ上の遊技球を受入口から受け入れて排出口から始動口に向けて放出する案内通路部材等を有している。そして、案内通路部材の排出口には、開閉可能な一対の板状部材からなる開閉扉が配設され、この開閉扉は、その重量により通常閉鎖状態とされ、受入口から進入した遊技球の重量によって開放状態とされるようになっている。
【先行技術文献】
【特許文献】
【０００４】
【特許文献１】特許第４０９９１３４号公報
【発明の概要】
【発明が解決しようとする課題】
【０００５】
しかしながら、このようなパチンコ遊技機にあっては、案内通路部材の排出口に配設した一対の板状部材からなる開閉扉が遊技球の重量により開放することで、役物装置内に進入した遊技球が排出口から下方に放出されるため、開閉扉の開放動作によって遊技者に対する視覚的感覚を向上させることができるものの、単に開閉扉の開放動作による演出だけでは役物装置に効果的な演出を得ることが困難で、遊技者に対する視覚的感覚の向上を十分に図ることが難しい。
【０００６】
本発明は、このような事情に鑑みてなされたもので、その目的は、役物装置に遊技球の動きと連動した複数の演出が得られ、遊技者に対する視覚的効果を十分に向上させて、パチンコ遊技の興趣を高めることが可能なパチンコ遊技機を提供することにある。
【課題を解決するための手段】
【０００７】
かかる目的を達成すべく、本発明のうち請求項１に記載の発明は、入球口（１６）から所定の経路に沿ってセンターステージ（１８）上に進入した遊技球を、受入口（２７）から受け入れて図柄表示装置（８）の下方の始動口（９）に向けて排出口（２８、２１ａ）から放出可能な役物装置（１５）を備えたパチンコ遊技機（１）であって、前記役物装置は、前記受入口が始端側に設けられ前記排出口が終端側に設けられて受入口から進入した遊技球を排出口まで案内する案内通路部材（２０）と、該案内通路部材の前記排出口に開閉可能に配設された開閉扉（２３）と、該開閉扉が前記センターステージ上から前記受入口を介して案内通路部材内に進入した遊技球を排出口方向に通過させるために開放された際に、前記案内通路部材内に発光する発光手段（２５）とを備えることを特徴とする。
【０００８】
また、請求項２に記載の発明は、前記発光手段（２５）が、前記案内通路部材（２０）の後壁（２２ａ１）に取付けられた基板（３１）に、前記排出口（２８、２１ａ）方向に指向して実装された高輝度ＬＥＤであることを特徴とする。さらに、請求項３に記載の発明は、前記発光手段（２５）が、前記開閉扉（２３）の遊技球の重量による開放状態を検知可能なセンサ（２４）の検知信号に基づいて閃光することを特徴とする。
【発明の効果】
【０００９】
本発明のうち請求項１に記載の発明によれば、役物装置のセンターステージ上から受入口を介して案内通路部材内に進入した遊技球を排出口方向に通過させるために、開閉扉が開放された際に、発光手段により案内通路部材内が発光されるため、役物装置に遊技球と連動させた開閉扉の開放動作と発光手段による発光の２つの演出を行うことができ、遊技者に対する視覚的感覚を十分に向上させることができて、パチンコ遊技の興趣を高めることが可能となる。
【００１０】
また、請求項２に記載の発明によれば、請求項１に記載の発明の効果に加え、発光手段が、案内通路の後壁に取付けられた基板に排出口方向に指向して実装された高輝度ＬＥＤであるため、開閉扉が開放した際に、高輝度ＬＥＤにより開閉扉の開口部分から前方に効果的な発光を行うことができて、遊技者に対する視覚的感覚を一層向上させることができる。
【００１１】
さらに、請求項３に記載の発明によれば、請求項１または２に記載の発明の効果に加え、発光手段が開閉扉の遊技球の重量による開放状態を検知可能なセンサの検知信号に基づいて閃光するため、開閉扉の開放と連動して発光手段を例えば１回閃光（フラッシュ）させることができて、遊技者に対する視覚的感覚をより一層向上させることができる。
【図面の簡単な説明】
【００１２】
【図１】本発明に係わるパチンコ遊技機の正面図
【図２】同その役物装置の正面図
【図３】同案内通路部材の正面図
【図４】同その斜視図
【図５】同側面図
【図６】同開閉扉とフォトセンサを後方から見た分解斜視図
【図７】同開閉扉の開放状態を示す斜視図
【図８】同パチンコ遊技機の制御系のブロック図
【図９】同役物装置の動作の一例を示すフローチャート
【発明を実施するための形態】
【００１３】
以下、本発明を実施するための最良の形態を図面に基づいて詳細に説明する。
図１〜図９は、本発明に係わるパチンコ遊技機の一実施形態を示している。図１に示すように、パチンコ遊技機１は、外枠２の前面にガラス扉３を有する前面枠４が開閉可能に配設され、この前面枠４の内側には遊技盤５が配設されている。また、前面枠４は、その下方右隅部に発射ハンドル６が配設されると共に、中央下部に打球供給皿７が配設されている。
【００１４】
前記遊技盤５は、その遊技領域中の略中央部に、図柄表示装置としてのカラーの液晶表示器８が配設されている。この液晶表示器８の中央位置の下方には、始動口９が配設されると共に、その両側に普通入賞口１０やゲート１１が配設され、さらに始動口９の下方には、電動チューリップ１２と大入賞口１３が開閉可能に配設されている。また、液晶表示器８の周囲には、役物装置１５が配設されている。
【００１５】
この役物装置１５は、図２に示すように、液晶表示器８の上部左右から遊技盤５上に遊技球が進入可能な左右一対の入球口１６と、この入球口１６に進入した遊技球を所定軌跡に沿って下方に案内する液晶表示器８の左右に設けられた案内経路１７と、この一対の案内経路１７の下端間で液晶表示器８の下部に配設され、例えば前後方向の複数の分割ステージで形成されたセンターステージ１８を有している。また、前記役物装置１５は、液晶表示器８の上部に左右方向に開閉可能に配設された可動役物１９を有すると共に、前記センターステージ１８の中央部分に、該ステージ１８上の遊技球を液晶表示器８の下方の前記始動口９に案内するように配設された案内通路部材２０を有している。
【００１６】
前記案内通路部材２０は、図３〜図６に示すように、正面視半円弧形状の正面カバー２１を有し、この正面カバー２１の正面略中央には排出口２１ａが設けられると共に、正面カバー２１の裏面側には、発光手段としてのＬＥＤ２５が配設された案内通路２２と開閉扉２３及びフォトセンサ２４が一体的に組み付けられている。前記案内通路２２は、垂直部２２ａと水平部２２ｂを有して側面視略Ｌ字形状に形成され、案内通路２２の始端側となる垂直部２２ａの上端に受入口２７が設けられると共に、案内通路２２の終端側となる水平部２２ｂの先端に排出口２８が設けられている。
【００１７】
このとき、案内通路２２の受入口２７は、前記センターステージ１８の所定（例えば最も奥側）の分割ステージ面に開口され、図４の矢印イの如く受入口２７から進入した遊技球Ｂが、案内通路２２を通ってその排出口２８や正面カバー２１の排出口２１ａから矢印ロの如く下方に放出されることにより、前記始動口９への入賞がし易くなるように設定されている。なお、案内通路部材２０の正面カバー２１には、装飾用の開口２１ｂが設けられると共に取付け用のボス２１ｃ等が一体形成されている。
【００１８】
また、前記開閉扉２３は、図６に示すように、一対の板状部材２３ａ、２３ｂで形成されて、前記案内通路２２の排出口２８の前面で前記正面カバー２１との間に左右方向に開閉可能に配設されている。また、開閉扉２３の各板状部材２３ａ、２３ｂは、その上部に回転軸２９がそれぞれ設けられると共に、各板状部材２３ａ、２３ｂの裏面には、テーパ部３０ａを有して水平状態で突出した開閉部３０が一体形成されている。この各板状部材２３ａ、２３ｂのテーパ部３０ａは、一対の板状部材２３ａ、２３ｂが閉鎖状態において遊技球Ｂの大きさ（外径）に対応した傾斜角度となるように設定されている。なお、開閉部３０は、例えばその板厚が先端側を薄く基端側を厚く形成することで、その剛性アップが図られている。
【００１９】
そして、この開閉扉２３は、案内通路２２内の遊技球Ｂが垂直部２２ａから水平部２２ｂに流下転動して、その重量により板状部材２３ａ、２３ｂの開閉部３０のテーパ部３０ａをそれぞれ押圧することにより、図７に示すように、板状部材２３ａ、２３ｂが回転軸２９を中心にして矢印ハの如く回転（揺動）することで開放状態とされて、遊技球Ｂが矢印ニの如く排出口２８を通過して、正面カバー２１の排出口２１ａから下方に放出されるようになっている。このとき、案内通路２２の排出口２８内の遊技球Ｂは、板状部材２３ａ、２３ｂの一対のテーパ部３０ａからなるＶ字溝に嵌り込むことにより、遊技球Ｂの重量が板状部材２３ａ、２３ｂの揺動方向に対する分力を生じさせるようになっており、これにより、一対の板状部材２３ａ、２３ｂ、すなわち開閉扉２３がスムーズに開放動作されることになる。
【００２０】
前記発光手段としてのＬＥＤ２５は、例えば白色の高輝度ＬＥＤが使用され、図５に示すように、前記案内通路２２の垂直部２２ａの後壁２２ａ１外面に密着固定された基板３１上に実装されている。このとき、ＬＥＤ２５は図５に拡大して示すように、後壁２２ａ１に設けた開口２６に埋設状態で配設されて、後述するランプ制御基板４０に電気的に接続されると共に、その発光方向が矢印ホの如く案内通路２２の水平部２２ｂ方向で排出口２８方向に指向するように設定されている。
【００２１】
また、前記フォトセンサ２４は、図６に示すように、例えばセンサケース３２内に図示しない発光素子と受光素子が配置された透過型フォトインタラプタで形成されて、開閉扉２３方向に指向して配設されている。このフォトセンサ２４は、開閉扉が図６に示す閉鎖状態から図７に示す開放状態とされた場合に、この開放を検知して例えばオフ信号を出力し、閉鎖状態の場合はオン信号を出力するようになっている。そして、後述する如く、フォトセンサ２４で開閉扉２３の開放状態が検知された際に、その検知信号に基づいて前記ＬＥＤ２５が例えば１回閃光（フラッシュ）するようになっている。
【００２２】
図８は、前記パチンコ遊技機１の制御系のブロック図を示している。以下、これについて説明する。図８に示すように、パチンコ遊技機１は、パチンコ遊技の基本的な動作を制御し始動条件成立時に図柄変動コマンドや各種コマンドを出力する主制御基板３５と、この主制御基板３５に接続されたサブ制御基板３６を有している。サブ制御基板３６は、主制御基板３５から入力される図柄変動コマンドに基づいて液晶表示器８で表示される図柄の変動等を制御する演出制御基板３７と、主制御基板３５から入力されるコマンドデータに基づいて払出駆動モータ３８ａを作動させて遊技球の払出を制御する払出制御基板３８と、画像制御基板３９及びランプ制御基板４０等によって構成されている。
【００２３】
なお、前記主制御基板３５には、その入力側に、前記始動口９に配設された始動口スイッチ９ａ、前記普通入賞口１０に配設された普通入賞口スイッチ１０ａ、前記ゲート１１に配設されたゲートスイッチ１１ａ、前記大入賞口１３に配設された大入賞口スイッチ１３ａが接続されると共に、前記フォトセンサ２４が接続されている。また、主制御基板３５の出力側には、前記電動チューリップ１２に配設された電チューソレノイド１２ａ、前記大入賞口１３に配設された大入賞口ソレノイド１３ｂ、前記前面枠４の下方右隅部に配設された特別図柄保留ランプ４１、普通図柄保留ランプ４２、特別図柄表示器４３及び普通図柄表示器４４等が接続されている。
【００２４】
前記演出制御基板３７には、液晶表示器８に表示される画像及びパチンコ遊技機１の前面の所定位置に配設されたスピーカ４５で再生される音声を制御する前記画像制御基板３９と、各種ランプ等の点灯を制御する前記ランプ制御基板４０が接続されている。また、演出制御基板３７には、パチンコ遊技機１の前面所定位置に配設された演出ボタン４６が接続されている。さらに、前記ランプ制御基板４０には、前記各種ランプとしての、枠ランプ４７と盤ランプ４８及び前記ＬＥＤ２５が接続されると共に前記可動役物１９が接続されている。
【００２５】
図９は、前記パチンコ遊技機１の動作の一例を示すフローチャートである。以下、これについて説明する。なお、図９（ａ）は主制御基板３５の動作を示し、図９（ｂ）はランプ制御基板４０の動作を示している。図９（ａ）に示すように、フォトセンサ２４が接続された主制御基板３５のＲＯＭに記憶されたプログラムがスタート（Ｓ１０１）すると、センサ入力が有りか否か、すなわちフォトセンサ２４が開閉扉２３の開放状態を検知してオフ信号が入力されたか否かが判断（Ｓ１０２）され、この判断Ｓ１０２は「ＹＥＳ」になるまで繰り返される。
【００２６】
そして、判断Ｓ１０２で「ＹＥＳ」になると、すなわち、入球口１６から案内経路１７を介してセンターステージ１８上に進入した遊技球が、案内通路２２の受入口２７から進入して該案内通路２２の排出口２８に閉鎖状態で配設されている開閉扉２３を開放状態とさせ、これをフォトセンサ２４が検知してオフ信号が主制御基板３５のＣＰＵに入力された場合は、ＬＥＤ２５を点灯させるための点灯信号Ｓを演出制御基板３７を介してランプ制御基板４０に出力（Ｓ１０３）する。点灯信号Ｓを出力すると、フォトセンサ２４からの入力が無しか否かが判断（Ｓ１０４）され、この判断Ｓ１０４も「ＹＥＳ」になるまで繰り返され、「ＹＥＳ」となった時点でエンド（Ｓ１０５）となる。
【００２７】
一方、ランプ制御基板４０は、図９（ｂ）に示すように、該基板４０のＲＯＭに記憶されているプログラムがスタート（Ｓ２０１）すると、主制御基板３５から演出制御基板３７を介して点灯信号Ｓが入力されたか否かが判断（Ｓ２０２）され、この判断Ｓ２０２は「ＹＥＳ」になるまで繰り返される。そして、判断Ｓ２０２で「ＹＥＳ」の場合、すなわち、開閉扉２３の開放状態をフォトセンサ２４が検知し主制御基板３５のＣＰＵから点灯信号Ｓが出力された場合は、ランプ制御基板４０に接続されているＬＥＤ２５を１回閃光（フラッシュ）（Ｓ２０３）させてエンド（Ｓ２０４）となる。
【００２８】
このＬＥＤ２５の閃光により、前記案内通路部材２０の案内通路２２内が発光されると共に、その光（閃光）が開放状態の開閉扉２３の開口部から正面カバー２１の排出口２１ａ等を介して前方に照射されて、これが遊技者に視認されることになる。つまり、センターステージ１８から案内通路２２内に遊技球が進入すると、この遊技球により開閉扉２３が自動的に開放動作を開始すると共に、この開放動作に連動した状態でＬＥＤ２５が閃光して案内通路２２内が照明されることになり、案内通路部材２０に遊技球の進入に連動した開閉扉２３の開放動作とＬＥＤ２５の閃光（発光）動作の２つの演出動作が得られることになる。
【００２９】
このように、前記役物装置１５によれば、センターステージ１８上から受入口２７を介して案内通路２２内に進入した遊技球により該案内通路２２の排出口２８に開閉可能に配設された開閉扉２３が開放された際に、ＬＥＤ２５の閃光により案内通路２２内が発光されるため、役物装置１５に遊技球と連動させた開閉扉２３の開放動作とＬＥＤ２５による発光動作の２つの演出を行うことができる。
【００３０】
特に、ＬＥＤ２５として高輝度ＬＥＤが使用され、これが案内通路２２の後壁２２ａ１に取付けられた基板３１に排出口２８方向に指向して実装されると共に、ＬＥＤ２５が開閉扉２３の遊技球の重量による開放を検知するフォトセンサ２４の検知信号に基づき閃光することから、開閉扉２３の開放動作の開始と略同時に閃光するＬＥＤ２５の瞬間的な光を、開閉扉の開口部分から前方に効果的に照射（放射）することができて、開閉扉２３の開放動作とＬＥＤ２５の発光動作を遊技者に確実に視認（認識）させることができる。
【００３１】
これらにより、開閉扉２３の開放動作とＬＥＤ２５の発光動作が得られた場合に、排出口２８、２１ａから排出される遊技球が下方の始動口９に入賞する確率が高くなるという期待感を遊技者に持たせることができると共に、ＬＥＤ２５の発光動作で役物装置１５自体の視覚的感覚を十分に向上させることができて、パチンコ遊技の興趣を一層高めることが可能となる。
【００３２】
なお、前記実施形態においては、役物装置１５が、入球口１６、案内経路１７、センターステージ１８、可動役物１９及び案内通路部材２０等を有して、液晶表示器８を取り囲むように配設した場合について説明したが、本発明に係わる役物装置の構成はこれに限定されず、例えば適宜位置の入球口から遊技球が進入するセンターステージと、該センターステージに連設された案内通路部材及び開閉扉を備えて、液晶表示器８の下部に配設される役物装置であっても良い。また、前記実施形態においては、開閉扉２３が遊技球の重量により自動的に開放する構成を採用したが、例えばソレノイドやステッピングモータ等の駆動手段で開閉扉２３を開閉する構成としても良い。この場合は、開閉扉２３の開閉を前記フォトセンサ２４で検出し、この検出信号によりＬＥＤ２５を点灯させても良いし、前記駆動手段の駆動信号によりＬＥＤ２５を点灯させるようにして前記フォトセンサ２４を省略する構成とすることもできる。
【００３３】
さらに、前記実施形態においては、案内通路２２の後壁２２ａ１に発光手段としての１個の白色のＬＥＤ２５を配設したが、例えば案内通路２２の後壁や側壁に白色のＬＥＤ２５を複数個配設したり、色の異なるＬＥＤ２５を複数個配設することも勿論可能であるし、ＬＥＤ２５の点灯形態も１回の閃光に限らず、複数回の閃光とする等の各種形態を採用することができる。また、上記実施形態における、案内通路部材２０の正面カバー２１や案内通路２２の形態、開閉扉２３の形態、センサの形態等も一例であって、例えば正面カバー２１や開閉扉２３を透明もしくは半透明とすることで、内部の遊技球の転動状態やＬＥＤ２５の発光状態の視認性を高めたり、センサとしてフォトセンサ以外の非接触型センサを使用する等、本発明の各発明に係わる要旨を逸脱しない範囲において適宜の構成を採用することができる。
【産業上の利用可能性】
【００３４】
本発明は、センターステージ上に進入した遊技球を、図柄表示装置の下方の始動口に開閉扉の開閉動作で案内する案内通路部材を有する全てのパチンコ遊技機に利用できる。
【符号の説明】
【００３５】
１・・・パチンコ遊技機、８・・・液晶表示器（図柄表示装置）、１５・・・役物装置、１６・・・入球口、１７・・・案内経路、１８・・・センターステージ、１９・・・可動役物、２０・・・案内通路部材、２１・・・正面カバー、２１ａ・・・排出口、２２・・・案内通路、２２ａ・・・垂直部、２２ａ１・・・後壁、２２ｂ・・・水平部、２３・・・開閉扉、２３ａ、２３ｂ・・・板状部材、２４・・・フォトセンサ、２５・・・ＬＥＤ（発光手段）、２７・・・受入口、２８・・・排出口、２９・・・回転軸、３０・・・開閉部、３０ａ・・・テーパ部、３１・・・基板、３２・・・センサケース、３５・・・主制御基板、３６・・・サブ制御基板、４０・・・ランプ制御基板。
【図１】
2010166944.tif 000003
【図２】
2010166944.tif 000004
【図３】
2010166944.tif 000005
【図４】
2010166944.tif 000006
【図５】
2010166944.tif 000007
【図６】
2010166944.tif 000008
【図７】
2010166944.tif 000009
【図８】
2010166944.tif 000010
【図９】
2010166944.tif 000011